(57)【要約】      （修正有）【課題】生地素材で冷感を得る冷感生地に比べてより高度な冷感性能を発揮でき、さらに冷感性能を長時間に亘り持続させることができる冷感生地、およびこの冷感生地を用いた身体冷却具を提供する。【解決手段】身体冷却具１は、首部に密着して肌を冷却する冷却具本体２と、冷却具本体２を身体に装着するための装着バンド３とを備え、冷却具本体２は、冷感生地からなる。冷感生地は、吸水性を有し、合成樹脂糸を含んで編成された肌に接触する裏地６と、撥水性を有し、裏地６の片面を覆う表地７と、裏地６の露出面に固定される金属製の多数の吸熱パッチ１０とで構成する。裏地６、吸熱パッチ１０および裏地６に含ませた水の気化熱に由来する冷感により、より高度な冷感性能が発揮できる。さらに、気化熱で冷却した裏地６および吸熱パッチ１０に対して熱の移動を継続させて、冷感性能を長時間に亘って持続させる。【選択図】図１
0003230740.tif 000002
【実用新案登録請求の範囲】
【請求項１】
吸水性を有し、合成樹脂糸を含み編成された肌に接触する裏地（６）と、
撥水性を有し、裏地（６）の片面を覆う表地（７）と、
裏地（６）の露出面に固定される金属製の多数の吸熱パッチ（１０）と、
を備えていることを特徴とする冷感生地。
【請求項２】
吸熱パッチ（１０）がアルミニウムを素材として形成されている請求項１に記載の冷感生地。
【請求項３】
吸熱パッチ（１０）は、球面部を有する球冠状に形成されており、
球面部が肌と接触するように、吸熱パッチ（１０）が裏地（６）に固定されている請求項１または２に記載の冷感生地。
【請求項４】
多数の吸熱パッチ（１０）が、規則的に整列された状態で配されている請求項１から３のいずれかひとつに記載の冷感生地。
【請求項５】
肌を冷却する冷却具本体（２）と、
冷却具本体（２）に対して着脱可能に構成され、冷却具本体（２）を身体に装着するための装着バンド（３）と、
を備え、
冷却具本体（２）が、請求項１から４のいずれかひとつに記載された冷感生地で形成されていることを特徴とする身体冷却具。
【請求項６】
装着バンド（３）は、自由状態においてＣ字状に湾曲する帯板で形成され、その内径が拡縮する方向に弾性変形可能に構成されており、
冷却具本体（２）が、装着バンド（３）の弾性復元力で身体に抱持状に装着される請求項５に記載の身体冷却具。
【請求項７】
冷却具本体（２）は左右横長の長方形状に形成されており、
装着バンド（３）の両端の端バンド部（１３）が挿入される袋状のポケット（８）が、冷却具本体（２）の左右方向中央に向かって開口する状態で表地（７）の左右端にそれぞれ設けられている請求項６に記載の身体冷却具。
【考案の詳細な説明】
【技術分野】
【０００１】
本考案は、肌が接触した時に冷たさを感じる冷感生地、およびこの冷感生地を用いた身体冷却具に関する。
【背景技術】
【０００２】
この種の冷感生地は、例えば特許文献１に開示されており公知である。特許文献１の冷感生地は、表側面（表地）と肌側面（裏地）とからなる積層生地であり、表側面がポリエステル糸、綿糸、またはこれら糸の混紡糸のいずれかで編成された生地で構成され、肌側面が冷感発生用のポリエチレン糸で編成された生地で構成される。
【先行技術文献】
【特許文献】
【０００３】
【特許文献１】実用新案登録第３２２６６４３号公報
【考案の概要】
【考案が解決しようとする課題】
【０００４】
冷感生地においては、肌から生地へ熱移動を生じさせることにより、肌が接触した時に冷たさを感じさせる。また、肌から生地へ移動する熱が多いほど高度な冷感を得ることができる。特許文献１の冷感生地では、肌側面の生地を合成樹脂繊維のなかでも比較的熱伝導性が良好なポリエチレン糸で編成された生地で構成することにより、冷感が良好な生地を得ることができる。しかし、特許文献１の冷感生地では、肌側面の生地に肌の熱が移動して冷感を得るのみであり、肌側面の生地素材が有する熱伝導率に由来する冷感性能しか発揮することができない。また、肌側面の生地が肌温度近くまで昇温されると、熱の移動が滞り冷感を得ることができない。
【０００５】
本考案は、従来の生地素材で冷感を得る冷感生地に比べてより高度な冷感性能を発揮でき、さらに冷感性能を長時間に亘り持続させることができる冷感生地、およびこの冷感生地を用いた身体冷却具を提供することを目的とする。
【課題を解決するための手段】
【０００６】
本考案に係る冷感生地は、吸水性を有し、合成樹脂糸を含んで編成された肌に接触する裏地６と、撥水性を有し、裏地６の片面を覆う表地７と、裏地６の露出面に固定される金属製の多数の吸熱パッチ１０とを備えていることを特徴とする。
【０００７】
吸熱パッチ１０がアルミニウムを素材として形成されている。
【０００８】
吸熱パッチ１０は、球面部を有する球冠状に形成されており、球面部が肌と接触するように、吸熱パッチ１０が裏地６に固定されている。
【０００９】
多数の吸熱パッチ１０が、規則的に整列された状態で配されている。
【００１０】
本考案に係る身体冷却具は、肌を冷却する冷却具本体２と、冷却具本体２に対して着脱可能に構成され、冷却具本体２を身体に装着するための装着バンド３とを備え、冷却具本体２が、上記の冷感生地で形成されていることを特徴とする。
【００１１】
装着バンド３は、自由状態においてＣ字状に湾曲する帯板で形成され、その内径が拡縮する方向に弾性変形可能に構成されている。冷却具本体２は、装着バンド３の弾性復元力で身体に抱持状に装着される。
【００１２】
冷却具本体２は左右横長の長方形状に形成されている。装着バンド３の両端の端バンド部１３が挿入される袋状のポケット８が、冷却具本体２の左右方向中央に向かって開口する状態で表地７の左右端にそれぞれ設けられている。
【考案の効果】
【００１３】
本考案では、吸水性を有し、合成樹脂糸を含んで編成された肌に接触する裏地６と、撥水性を有し、裏地６の片面を覆う表地７と、裏地６の露出面に固定される金属製の多数の吸熱パッチ１０とで冷感生地を構成した。これによれば、裏地６に肌の熱が吸熱されることによって得られる冷感に加え、合成樹脂糸よりも格段に熱伝導率の高い金属からなる個々の吸熱パッチ１０に肌の熱が吸熱されることによる冷感を得ることができる。また、本考案に係る冷感生地では、吸水性を有する裏地６に水を含ませることで、水が蒸発する際の気化熱で肌を直接冷却することによる冷感が得られる。気化熱は、肌とともに裏地６および吸熱パッチ１０を冷却するので、裏地６および吸熱パッチ１０の昇温を抑えることができる。以上より本考案の冷感生地によれば、裏地６、吸熱パッチ１０および水の気化熱に由来する冷感を得ることができるので、従来の冷感生地に比べて、より高度な冷感性能を発揮することが可能となる。さらに、裏地６および吸熱パッチ１０への熱の移動を継続させて、冷感性能を長時間に亘って持続させることが可能となる。なお、裏地６に水を含ませた場合でも、撥水性の表地７で水が染み出すのを阻止できるので、冷感生地の外側に重ねられた生地が水濡れすることはない。
【００１４】
吸熱パッチ１０がアルミニウムを素材として形成されていると、裏地６に含ませた水や汗の付着による吸熱パッチ１０の腐食の進行を、アルミニウム自身の酸化被膜によって抑制することができる。また、アルミニウムの錆は白色であるため、錆が生じたとしても吸熱パッチ１０の見た目の変化は小さく、冷感生地の見栄えが大きく損なわれることはない。因みに、銅はアルミニウムより熱伝導率が高く安価であるが、銅は錆びやすく、錆びると緑青を生じる。そのため、吸熱パッチ１０の見た目が悪化し、冷感生地の見栄えが損なわれる不利がある。また、錆が生じ難く熱伝導率が優れている金あるいは銀はアルミニウムより高価であるため、冷感生地のコストが高くなる不利がある。したがって、見た目の変化が小さく、比較的安価である上に熱伝導率が良好なアルミニウムが吸熱パッチ１０の素材として好適である。
【００１５】
吸熱パッチ１０は、球面部を有する球冠状に形成されており、球面部が肌と接触するように、吸熱パッチ１０が裏地６に固定されていると、肌に角部が接触せず吸熱パッチ１０の肌あたりを柔らかくすることができるので、吸熱パッチ１０が肌に接触することによる不快感が生じ難い。
【００１６】
多数の吸熱パッチ１０が、規則的に整列された状態で配されていると、冷感生地の全体で冷感性能を一定にすることができるので、場所に関わらず均質な冷感を得ることができる。一方、吸熱パッチ１０がランダムに配されている場合には、冷感性能の高い場所と低い場所ができ均質な冷感を得ることができない。
【００１７】
肌を冷却する冷却具本体２と、冷却具本体２に対して着脱可能に構成され、冷却具本体２を身体に装着するための装着バンド３とを備える身体冷却具１において、冷却具本体２が上記の冷感生地で形成されていると、身体の装着部位に対して、より高度な冷感を付与し、当該冷感を長時間に亘って持続させることが可能となる。
【００１８】
装着バンド３は、自由状態においてＣ字状に湾曲する帯板で形成され、その内径が拡縮する方向に弾性変形可能に構成されており、冷却具本体２が、装着バンド３の弾性復元力で身体に抱持状に装着されるように構成されている。これによれば、装着バンド３を拡開して装着部位に被せつけた状態で、同バンド３の拡開を解除するだけの簡単な操作で、身体に冷却具本体２を装着することができる。また、装着バンド３が帯板で形成されていると、身体に冷却具本体２を面で押えて接触させることができるので、肌に冷却具本体２を的確に接触させることができる。また、肌と冷却具本体２との摩擦抵抗を増大させて、装着した身体冷却具１を的確に位置保持できる。身体に作用する弾性復元力を分散させることができるので、装着バンド３による締め付け感を緩和することもできる。
【００１９】
冷却具本体２は左右横長の長方形状に形成されており、装着バンド３の両端の端バンド部１３が挿入される袋状のポケット８が、冷却具本体２の左右方向中央に向かって開口する状態で表地７の左右端にそれぞれ設けられている。これによれば、各ポケット８に端バンド部１３をそれぞれ差し込むだけで両者２・３を一体化でき、また、各ポケット８から端バンド部１３をそれぞれ抜き出すだけで両者２・３を分離できるので、冷却具本体２に対する装着バンド３の着脱を簡便に行うことができる。
【図面の簡単な説明】
【００２０】
【図１】本考案に係る身体冷却具の両端部を拡開させた状態を示す斜視図である。
【図２】本考案に係る身体冷却具を装着した状態を示す側面図である。
【図３】装着状態における身体冷却具の横断平面図である。
【図４】図３におけるＡ−Ａ線端面図である。
【図５】冷却具本体と装着バンドを分離し展張した状態を示す正面図である。
【図６】装着バンドの自由状態を示す平面図である。
【考案を実施するための形態】
【００２１】
（実施例）  本考案に係る冷感生地を、首部を冷却するための身体冷却具に適用した実施例を図１から図６に示す。本実施例における前後、左右、上下とは、図１および図３に示す交差矢印と、各矢印の近傍に表記した前後、左右、上下の表示に従う。図２に示すように身体冷却具１は、首部に密着して肌を冷却する冷却具本体２と、冷却具本体２を身体に装着するための装着バンド３とを備える。
【００２２】
図４に示すように冷却具本体２は、肌に接触する裏地６と、裏地６の片面（後面）を覆う表地７とが積層されて構成されており、肌が裏地６に接触した時に冷たさを感じる冷感生地からなる。裏地６は、メッシュ状にポリエステル糸とナイロン糸（いずれも合成樹脂糸）とが編み込まれたメッシュ生地からなり、吸水性を有している。表地７は、ポリエステル糸が密に編み込まれた生地からなり、生地の編成後に撥水処理が施されて撥水性を有している。裏地６および表地７は四周縁が縫着されて一体化され、冷却具本体２が形成される。本実施例の冷却具本体２は、上下高さ寸法が５０ｍｍであり、左右長さ寸法が３００ｍｍであり、正面視において四隅部が丸められた隅丸長方形状（長方形状）に形成されている（図５参照）。
【００２３】
図３および図５に示すように、冷却具本体２の表地７の左右端には、装着バンド３を装着するための１辺が開口する四角袋状のポケット８がそれぞれ設けられている。ポケット８は左右横長の長方形状のポケット生地９を冷却具本体２に縫着することで形成される。各ポケット生地９は、上下縁部と冷却具本体２の端部側の縁部の３辺が裏地６および表地７とともに縫着されており、各ポケット８は冷却具本体２の左右方向中央に向かって開口している。本実施例のポケット生地９は、上下高さ寸法が２０ｍｍであり、左右長さ寸法が９０ｍｍであり、表地７と同一の生地で構成されている。図５において、冷却具本体２の四周縁およびポケット８の三周縁の線ピッチが大きな破線は、縫着糸を示している。
【００２４】
冷感生地からなる冷却具本体２の冷感性能の向上を図るため、裏地６の露出側にアルミニウムで形成された多数の吸熱パッチ１０が設けられている。図１および図４に示すように、各吸熱パッチ１０は球冠状に形成されており、その球面部が肌と接触するように平面部が裏地６に固定されている。本実施例では、吸熱パッチ１０の直径寸法は４ｍｍであり、高さ寸法は、０．７ｍｍであり、熱圧着により吸熱パッチ１０を裏地６に固定した。なお、裏地６に対する吸熱パッチ１０の固定は熱圧着に限らず、接着剤、両面テープ、あるいは溶融樹脂などによる接着であってもよい。
【００２５】
多数の吸熱パッチ１０は、規則的に整列された状態で配されており、具体的には、図５に示すように、格子軸が４５度傾けられた斜め格子状に配されている。格子軸に沿う方向において、隣接する吸熱パッチ１０どうしのピッチは約１８ｍｍである。
【００２６】
装着バンド３の全体は高密度ポリエチレンからなり、図５および図６に示すように、自由状態において両端部が重なるＣ字状に湾曲する帯板で形成されている。装着バンド３は、冷却具本体２の各ポケット８に挿入される左右の端バンド部１３と、両端バンド部１３の間に設けられる中央バンド部１４と、各端バンド部１３と中央バンド部１４とを接続する左右の中間バンド部１５とを備えており、その内径が拡縮する方向に弾性変形可能に構成されている。本実施例の装着バンド３は、高密度ポリエチレンを素材として形成されているので、内径が拡縮する方向以外にも弾性変形する。
【００２７】
左右の中間バンド部１５のバンド幅は同一に形成されており、両端バンド部１３と中央バンド部１４とのバンド幅は同一に形成されている。また、中間バンド部１５のバンド幅は、両端バンド部１３および中央バンド部１４のバンド幅よりも小さく形成されている。本実施例における装着バンド３の厚み寸法は１．６ｍｍであり、両端バンド部１３および中央バンド部１４のバンド幅寸法は１５ｍｍであり、中間バンド部１５のバンド幅寸法は１０ｍｍである。両端バンド部１３から中間バンド部１５への接続部、および中央バンド部１４から中間バンド部１５への接続部は、バンド幅が漸次小さくなるなるように形成されている。
【００２８】
冷却具本体２と装着バンド３とは、装着バンド３の各端バンド部１３を冷却具本体２の各ポケット８にそれぞれ挿入することにより一体化される。例えば、装着バンド３を拡開したうえで、左側のポケット８の開口に左側の端バンド部１３の先端を位置合わせし、ポケット８内に端バンド部１３を奥まで挿入する。次いで、装着バンド３を拡開したうえで、右側のポケット８の開口に右側の端バンド部１３の先端を位置合わせし、ポケット８内に端バンド部１３を奥まで挿入する。これにて、冷却具本体２と装着バンド３を一体化できる。両者２・３が一体化されたとき、装着バンド３は、端バンド部１３と中間バンド部１５の中途部までがポケット８の中に挿入されており、残る中間バンド部１５および中央バンド部１４は冷却具本体２の後面において露出している。
【００２９】
身体冷却具１の首部への装着は、裏地６に水を含ませたのち、弾性に抗して装着バンド３の内径を拡開して、装着バンド３の両端部を離間させる。この状態で後方から首部に嵌め、身体冷却具１の左右中央部を首部後側にあてがった状態で、装着バンド３を自身の弾性復元力で収縮させることにより、首部に身体冷却具１を抱持状に装着することができる。なお、裏地６に水を含ませた場合でも、撥水性の表地７で水が染み出すのを阻止できるので、冷却具本体２の表地７に衣服が触れても、衣服が水濡れすることはない。
【００３０】
身体冷却具１の使用後は、冷却具本体２に残存する水や皮脂等の汚れが付着しているので、冷却具本体２と装着バンド３とを分離して、冷却具本体２を洗濯することが好ましい。冷却具本体２と装着バンド３とを分離するときには、例えば、一方の手で露出している装着バンド３を把持した状態で、他方の手でポケット８から端バンド部１３が抜ける方向に冷却具本体２の端部をそれぞれ引っ張ることで冷却具本体２から装着バンド３を分離できる。
【００３１】
以上のように、本実施例に係る身体冷却具１おける冷却具本体２を、合成樹脂糸で編成され吸水性を有する裏地６と、裏地６の片面を覆う撥水性を有する表地７と、裏地６の露出面に固定されるアルミニウム製の多数の吸熱パッチ１０とを備える冷感生地で構成したので、裏地６に肌の熱が吸熱されることによって得られる冷感に加え、合成樹脂糸よりも格段に熱伝導率の高いアルミニウムからなる個々の吸熱パッチ１０に肌の熱が吸熱されることによる冷感を得ることができる。また、吸水性を有する裏地６に水を含ませることで、水が蒸発する際の気化熱で肌を直接冷却することによる冷感が得られる。気化熱は、肌とともに裏地６および吸熱パッチ１０を冷却するので、裏地６および吸熱パッチ１０の昇温を抑えることができる。以上より本実施例の身体冷却具１によれば、裏地６、吸熱パッチ１０および水の気化熱に由来する冷感を得ることができるので、従来の冷感生地に比べて、より高度な冷感性能を発揮することが可能となる。さらに、裏地６および吸熱パッチ１０への熱の移動を継続させて、冷感性能を長時間に亘って持続させることが可能となる。
【００３２】
アルミニウムを素材として形成された吸熱パッチ１０によれば、裏地６に含ませた水や汗の付着による吸熱パッチ１０の腐食の進行を、アルミニウム自身の酸化被膜によって抑制することができる。また、アルミニウムの錆は白色であるため、錆が生じたとしても吸熱パッチ１０の見た目の変化は小さく、冷感生地の見栄えが大きく損なわれることはない。因みに、銅はアルミニウムより熱伝導率が高く安価であるが、銅は錆びやすく、錆びると緑青を生じる。そのため、吸熱パッチ１０の見た目が悪化し、冷感生地の見栄えが損なわれる不利がある。また、錆が生じ難く熱伝導率が優れている金あるいは銀はアルミニウムより高価であるため、冷感生地のコストが高くなる不利がある。したがって、見た目の変化が小さく、比較的安価である上に熱伝導率が良好なアルミニウムが吸熱パッチ１０の素材として好適である。
【００３３】
吸熱パッチ１０を球冠状に形成し、その球面部が肌と接触するように吸熱パッチ１０を裏地６に固定したので、肌に角部が接触せず吸熱パッチ１０の肌あたりを柔らかくすることができ、吸熱パッチ１０が肌に接触することによる不快感が生じ難い。
【００３４】
多数の吸熱パッチ１０を、規則的に整列された状態で配したので、冷感生地の全体で冷感性能を一定にすることができ、場所に関わらず均質な冷感を得ることができる。一方、吸熱パッチ１０がランダムに配されている場合には、冷感性能の高い場所と低い場所ができ均質な冷感を得ることができない。
【００３５】
装着バンド３は自由状態においてＣ字状に湾曲する帯板で形成して、その内径が拡縮する方向に弾性変形可能に構成し、冷却具本体２を装着バンド３の弾性復元力で身体に抱持状に装着されるように構成したので、装着バンド３を拡開して首部に被せつけた状態で、同バンド３の拡開を解除するだけの簡単な操作で、身体に冷却具本体２を装着することができる。また、装着バンド３を帯板で形成したので、身体に冷却具本体２を面で押えて接触させることができるので、肌に冷却具本体２を的確に接触させることができる。また、肌と冷却具本体２との摩擦抵抗を増大させて、装着した身体冷却具１を的確に位置保持できる。身体に作用する弾性復元力を分散させることができるので、装着バンド３による締め付け感を緩和することもできる。
【００３６】
冷却具本体２は左右横長の長方形状に形成して、装着バンド３の両端の端バンド部１３が挿入される袋状のポケット８を、表地７の左右端に冷却具本体２の左右方向中央に向かって開口するように表地７の左右端にそれぞれ設けた。これによれば、各ポケット８に端バンド部１３をそれぞれ差し込むだけで両者２・３を一体化でき、また、各ポケット８から端バンド部１３をそれぞれ抜き出すだけで両者２・３を分離できるので、冷却具本体２に対する装着バンド３の着脱を簡便に行うことができる。
【００３７】
身体冷却具１を首部に装着したとき、装着バンド３の弾性復元力は、首部に対して主として両端バンド部１３と、これらの対面位置にある中央バンド部１４において作用する。そのため、中間バンド部１５のバンド幅が、両端バンド部１３および中央バンド部１４のバンド幅よりも小さく形成された装着バンド３によれば、装着バンド３の弾性復元力で冷却具本体２を的確に保持しながらも、装着バンド３を軽量化できるので、身体冷却具１の装着感を軽減できる。
【００３８】
本実施例の身体冷却具１においては、冷却具本体２の後面に装着バンド３の一部が露出している。そのため、装着された身体冷却具１を後方から見たとき、中間バンド部１５の一部および中央バンド部１４を視認できるので、当該露出部分を表示スペースとして利用することができる。例えば、中央バンド部１４に広告プリントなどを施すことでノベルティ商品として配布するなど、身体冷却具１を販促に活用することができる。また、イベントロゴ、チームロゴ、あるいはオリジナルロゴ等のプリントを施すことで、需要者に対する訴求力を向上させることができる。
【００３９】
上記の実施例では、裏地６はポリエステル糸とナイロン糸で編成したが、他の合成樹脂糸あるいは合成樹脂糸の混紡糸で編成することもできる。吸熱パッチ１０は球冠状以外に丸板状であってもよい。また、吸熱パッチ１０は正面視で多角形状に形成することもでき、この場合でも肌面側は球面状に形成することが望ましい。裏地６と表地７とで形成される内部空間に吸水体を設けることができる。この場合には、より多量の水を含ませることができ、冷感性能をより長時間に亘って持続させることができる。身体冷却具１は首部に装着するもの以外に、頭部、上肢、下肢などに装着するものであってもよく、装着部位によって、冷却具本体２および装着バンド３の寸法を適宜変更する。本考案の冷感生地は身体冷却具に限らず、肌に触れる部分の生地に適用できる。例えば、肌着の一部あるいは全部、上衣の袖口、口鼻を覆う衛生マスクなどにも適用することができる。また、身体に装着される器具や装具の肌面に触れる部分にも本考案の冷感生地は好適である。
【符号の説明】
【００４０】
１  身体冷却具
２  冷却具本体
３  装着バンド
６  裏地
７  表地
８  ポケット
１０  吸熱パッチ
１３  端バンド部
１４  中央バンド部
１５  中間バンド部
【図１】
0003230740.tif 000003
【図２】
0003230740.tif 000004
【図３】
0003230740.tif 000005
【図４】
0003230740.tif 000006
【図５】
0003230740.tif 000007
【図６】
0003230740.tif 000008